(57)【要約】【課題】紙製造工程、特に抄紙工程において、工程水系に薬液を添加する際に水系内での迅速で均一な混合、分散を可能とし、良好な紙製品特性と薬液添加量の削減が可能な薬液の希釈添加方法を提供する。【解決手段】上記課題を解決するため、紙製造工程において、水貯留部の貯留水中に設置された水中撹拌装置を利用し、水中撹拌装置が、薬液の添加されたジェット水流水を噴射することで水中撹拌装置内に負圧を発生させ、その負圧により貯留水を水中撹拌装置に吸込み、ジェット水流水と貯留水が混合されてできた希釈薬液を、水中撹拌装置が設置された水貯留部の貯留水中に吐出させることで、薬液を分散させることを特徴とする薬液の希釈添加方法の構成とした。【選択図】図２
2020190047.tif 000002
【特許請求の範囲】
【請求項１】
循環水系の循環水または前記循環水系に流入する流入水系の流入水を滞留させる水貯留部を１箇所または２箇所以上備えた紙製造工程において、
前記水貯留部の少なくとも１箇所の貯留水中に設置された水中撹拌装置を利用する薬液の希釈添加方法であって、
前記水中撹拌装置が、
少なくとも壁面に吸込孔を有する中空管と、
前記循環水又は流入水を含む工程水に薬液を添加して加圧し、加圧水性液体にする加圧液体供給管と、
前記中空管内に向け前記加圧水性液体をジェット水流水として噴射するジェットノズルと、
前記中空管に接続する希釈薬液吐出部を備えてなり、
前記ジェット水流水を噴射することで前記中空管内に負圧を発生させ、前記吸込孔から前記貯留水を吸入貯留水として前記中空管に吸込ませ、前記ジェット水流水と前記吸引貯留水が混合されてできた希釈薬液を、前記希釈薬液突出部から前記水中撹拌装置が設置された前記水貯留部の前記貯留水中に吐出させることを特徴とする薬液の希釈添加方法。
【請求項２】
前記薬液を前記工程水に所定量供給した後、前記水貯留部内の希釈薬液を含有した前記貯留水を前記工程水として加圧液体供給管に供給しつつ、前記ジェットノズルによるジェット水流水の流れを所定時間継続し、
前記貯留水を前記水中撹拌装置に通し前記水貯留部内で循環させることで、前記薬液を分散させることを特徴とする請求項１に記載の薬液の希釈添加方法。
【請求項３】
前記薬液が、スライムコントロール剤、スケール防止剤、防錆剤、消泡剤、または消臭剤の少なくとも１種を含む液体であることを特徴とする請求項１または請求項２に記載の薬液の希釈添加方法。
【発明の詳細な説明】
【技術分野】
【０００１】
本発明は、紙製造工程における薬液の希釈添加方法に関する。紙製造工程、特に抄紙工程において、工程水系に薬液を添加する際に水系内での迅速で均一な混合、分散を可能とし、良好な紙製品特性と薬液添加量の削減が可能な薬液の希釈添加方法を提供する。
【背景技術】
【０００２】
紙製造における循環水系、および循環水系に流入する水系等の工程水系の多くにはセルロース繊維以外に、澱粉、サイズ剤、ラテックス、分散剤、染料、カゼイン等の有機物を多く含み、水温も安定で常温に近いため、細菌類、真菌類等の微生物が繁殖しやすい環境となっている。そのため、このような微生物に由来するスライムが循環水系等の水中、或いは配管や設備表面に発生しやすい。
このスライムは、製品中に混入することで製品品質や生産効率を低下させたり異臭の原因となったりする。したがって、循環水系や循環水系に流入する工程水系には、スライム防止剤が使用される。
また、循環水系の白水等には原料パルプ由来のカルシウムイオンやバリウムイオンが溶出しており、特に回収古紙パルプからは無機填料由来のカルシウムイオンの溶出量が多い。
抄紙工程で用いられる硫酸バンドやｐＨ調整の硫酸等に由来する硫酸イオン、漂白に使われる過酸化水素の安定化剤として含まれるケイ酸ナトリウムや原料パルプ等から溶出するシリカイオン等と、溶出した前記カルシウムイオン、バリウムイオンとが結合して、水に極めて難溶性の硫酸カルシウム、硫酸バリウム、及びケイ酸カルシウム等が、スケールとして生成される。
スケールは、原料のマシンチェスト、タンク、種箱、インレット、配管、ポンプ、スクリーン等の紙製造工程機器に付着して性能低下の原因になる。さらに、機器類の壁面に付着したスケールが脱落して製品に移り、紙切れや紙製品に斑点を生じさせて品質を損なう等により紙の生産性に大きな損失をもたらす。したがって、紙製造工程水系にスケール防止剤が使用される。
紙製造工程水には、上記理由によりスライム防止剤やスケール防止剤、その他、消泡剤、製造工程における製紙原料や添加薬剤に起因する無機化合物や有機化合物の汚れを防止する汚れ防止剤、また配管や設備の金属錆を防止する防錆剤、紙製造工程で発生する臭気を防止する消臭剤等の各種薬剤が使用されている。
【０００３】
従来、一般的な添加薬剤の混合装置としては、主として薬剤を添加する貯留槽水中で羽根を回転させる水中撹拌装置が使用されている。その他の混合装置としては、螺旋状のエレメントを交互に並べた管の中に流体を通すスタテッィクミキサー等の管路型撹拌装置が使用される（特許文献１、２、３）。
【０００４】
近年の紙製造の高速化により、特に抄紙工程では大量の循環水系や循環水系に流入する水系へ薬液を添加して、短時間で効率よく均一に薬剤を希釈混合させることが要求されている。
しかしながら、上記の従来から使用されている薬液混合装置では短時間の均一混合が不十分であり、目的とする薬剤効果を得るためには過剰の薬剤添加が必要となっていた。そのため残留薬剤による紙製品特性の低下や薬剤コストが嵩むという問題があった。
【０００５】
紙製造以外の分野で使用される混合技術としては、ジェット噴射を利用した粉体と液体の混合方法が特許文献４に開示され、ジェットポンプを利用した薬液混入装置については特許文献５に開示されている。
しかしながら、それらいずれの先行技術も、工程水系に供給する前工程での均一な薬液の作製に用いられており、紙製造における工程水系への薬液の希釈添加に利用することは開示されていない。
【先行技術文献】
【特許文献】
【０００６】
【特許文献１】特開２００４−１４８１７２号公報
【特許文献２】特開平９−２４１９８７号公報
【特許文献３】特開２００６−２５５５５２号公報
【特許文献４】特開平９−３１３９０９号公報
【特許文献５】特開平３−２２９６９１号公報
【発明の概要】
【発明が解決しようとする課題】
【０００７】
本発明は、紙製造工程水系における上記従来技術の問題点を解決する薬液の希釈添加方法であって、特に抄紙工程において、工程水系に薬液を添加する際に水系内での迅速で均一な混合、分散を可能とし、良好な紙製品特性と薬液添加量の削減が可能な薬液の希釈添加方法を提供することを目的とする。
【課題を解決するための手段】
【０００８】
本発明は、上記課題を解決するため、
（１）
循環水系の循環水または前記循環水系に流入する流入水系の流入水を滞留させる水貯留部を１箇所または２箇所以上備えた紙製造工程において、
前記水貯留部の少なくとも１箇所の貯留水中に設置された水中撹拌装置を利用する薬液の希釈添加方法であって、
前記水中撹拌装置が、
少なくとも壁面に吸込孔を有する中空管と、
前記循環水又は流入水を含む工程水に薬液を添加して加圧し、加圧水性液体にする加圧液体供給管と、
前記中空管内に向け前記加圧水性液体をジェット水流水として噴射するジェットノズルと、
前記中空管に接続する希釈薬液吐出部を備えてなり、
前記ジェット水流水を噴射することで前記中空管内に負圧を発生させ、前記吸込孔から前記貯留水を吸入貯留水として前記中空管に吸込ませ、前記ジェット水流水と前記吸引貯留水が混合されてできた希釈薬液を、前記希釈薬液突出部から前記水中撹拌装置が設置された前記水貯留部の前記貯留水中に吐出させることを特徴とする薬液の希釈添加方法。
（２）
前記薬液を前記工程水に所定量供給した後、前記水貯留部内の希釈薬液を含有した前記貯留水を前記工程水として加圧液体供給管に供給しつつ、前記ジェットノズルによるジェット水流水の流れを所定時間継続し、
前記貯留水を前記水中撹拌装置に通し前記水貯留部内で循環させることで、前記薬液を分散させることを特徴とする（１）に記載の薬液の希釈添加方法。
（３）
前記薬液が、スライムコントロール剤、スケール防止剤、防錆剤、消泡剤、または消臭剤の少なくとも１種を含む液体であることを特徴とする（１）または（２）に記載の薬液の希釈添加方法。
の構成とした。
【発明の効果】
【０００９】
本発明の薬液の希釈添加方法により、紙製造工程における循環水系および循環水系に流入する水系の少なくとも何れかに薬液を添加するに際して、迅速で均一な薬液と水系の混合薬液の分散が可能となることにより薬液の偏在化が防止され、薬液中の薬剤効果が高度に発揮されて均質かつ良好な紙製品特性が得られ、薬液の無駄な過剰添加が抑えられ、使用薬液削減が可能となる。
さらに、本発明の薬液の希釈添加方法により、紙製造工程における水貯留部の攪拌効果によって薬剤効果の効率化とともに臭気発生原因となる物質の停滞を防止して工程内で発生する臭気の低減や製品の臭気を防止する効果も有している。
【図面の簡単な説明】
【００１０】
【図１】本発明の薬液の希釈添加方法が実施される抄紙工程の一例のモデル図である。
【図２】本発明の薬液の希釈添加方法で用いる水中撹拌装置の一例のモデル図である。
【発明を実施するための形態】
【００１１】
本発明について以下に図１を用いて説明する。図１は抄紙工程に本発明の薬液の希釈添加方法を用いた一例である。
【００１２】
本発明の薬液の希釈添加方法は、製紙工場における紙製造工程、特に抄紙工程に適用されるものである。
【００１３】
本発明において、「抄紙工程」とは、例えば、図１の抄紙工程Ａとして示すように、原料調整系Ａ１、白水循環系Ａ２、白水回収系Ａ３を包含する工程を意味し、抄紙機において多量に排出される水溶液（主として白水）の回収、再利用系までを含めた水循環工程全体であって、これら工程に流入する水系も含まれる。
ここで「白水」とは、通常抄紙時に使用する原料パルプに由来する微細繊維や、その他の製紙用薬剤等を含んだ工程水である。
【００１４】
以下、紙製造工程、水の循環を概説する。まず、抄紙工程Ａの原料調整槽１とマシンチェスト２とを備えた原料調整系Ａ１で製紙の原料を調整する。
すなわち、原料調整槽１に、パルプを含む原料と水が供給され（図示なし）、さらに回収水タンク１２からポンプ１３より送水される水が加えられて、パルプスラリーが調整される。
調整されたパルプスラリーは、マシンチェスト２に供給され、さらに粘度調整剤や紙力増強剤等の各種製紙用薬剤等が添加される。その後、パルプスラリーは、ポンプ３により白水循環系Ａ２に供給され、白水サイロ５からの白水と混合されて、紙料としてインレット６に供給される。
インレット６からワイヤパート７のワイヤ７ａへ供給された紙料は、脱水されてシート形状となり、プレスパート８以降の紙製造工程に送られて紙製品となる。
一方、ワイヤパート７に残った水は、白水として白水サイロ５に貯留され、さらにポンプ４でインレット６へ再び供給され、白水循環系Ａ２が形成される。
【００１５】
白水サイロ５に貯留された白水の一部は、白水サイロ５から白水回収系Ａ３のシールピット９に供給される。シールピット９に供給された白水は、ポンプ１０により固液分離装置１１に送られて固液分離処理される。
固液分離処理された成分のうちの水は、回収水タンク１２に貯留された後、その一部はポンプ１３により原料調整系Ａ１の原料調整槽１に供給されてパルプスラリーの濃度調整に利用される。
また、その水の別の一部は図示しない配管を通ってワイヤパート７のワイヤ７ａやプレスパート８のフェルトを清浄に保つためのシャワー水に利用等される。固液分離処理で生じた水は、このように抄紙工程Ａにおける各種用水として再利用される。
白水回収系Ａ３は、原料調整系Ａ１、および、白水循環系Ａ２とともに、抄紙工程Ａの循環水系を構成し、水はこの循環水系内を循環している。
なお、回収水タンク１２内の他の一部の水は、濃度調整のために系外に排出され、図示しない排水処理設備等に送られる。
【００１６】
図１の抄紙工程Ａにおいて、本発明の水中撹拌装置Ｓを設置する水貯留部としては、マシンチェスト２、白水サイロ５、シールピット９、回収水タンク１２、および、クッションタンク１４が挙げられる。
ただし、本発明における水貯留部は、それら循環水系の箇所等に限定されず、抄紙工程における他の循環水系およびそれら循環水系或いは他の循環水系に流入する他の水系に存在して水を滞留する水貯留部は全て本発明に含まれる。
【００１７】
本発明において、抄紙工程等の紙製造工程の循環水系に流入する水としては、例えば、上水、工業用水や排水処理設備の処理水等が挙げられるが、これらに限定されるものではない。
【００１８】
本発明の薬液の希釈添加方法では、白水循環系Ａ２、あるいは、白水回収系Ａ３、あるいは、原料調整系Ａ１（以下、これらを併せて「循環水系」と云う。）、さらには、これら水系に流入する水系（例えば、クッションタンク１４、用水ライン１５）に存在する水貯留部に備えられた水中撹拌装置Ｓによって、希釈薬液をそれらの水貯留部の水系に添加する。
水貯留部は、特に限定されないが、これら水系内に存在する水槽等、一時的に水の滞留する箇所が対象となる。
【００１９】
本発明の水中撹拌装置Ｓは、図２に例示するように、ジェットノズル２１に接続する加圧液体供給管２２には、循環水系の循環水または／及び当該循環水系に流入する水系の流入水少なくとも何れかの水（循環水または／及び流入水２５ａ）が工程水２５として供給され、また、好ましくは水中撹拌装置Ｓが設置されている水貯留部２７の貯留水２７ａが工程水２５として供給される。他方、薬液供給管２２ａの薬液供給口２２ｃから薬液２２ｂが工程水２５に供給される。
ジェットノズル２１を設置する側の中空管２０の端部近傍は拡径されており、薬液２２ｂを含有する工程水２５のジェット水流水２１ａの噴射によって負圧２０ａが生じる。
その負圧２０ａによって、ジェットノズル２１近傍にある吸込孔２４から水貯留部２７の循環水である貯留水２７ａ、または図示していないが循環水系に流入する流入水を滑らかに吸込ませ、薬液２０ｂを含有する工程水２５のジェット水流水２１ａと水貯留部２７の循環水である貯留水２７ａ、または図示していないが循環水系に流入する流入水が混合希釈され、中空管２０に設けられている希釈薬液吐出部２３から希釈薬液２３ａを水貯留部の水中に吐出させる。
それにより、循環水系および当該循環水系に流入する水系の少なくとも何れかの水系に薬液２２ｂが添加される。
加圧液体供給管２２への薬液２２ｂの添加、ジェットノズル２１への加圧液体の供給、中空管２０への噴射は連続でも間欠でも可能であるが、薬液２２ｂの添加条件は種類によって連続添加、または間欠添加が好ましく選ばれる。
好ましくは予め決められた量の薬液２２ｂが循環水または／及び流入水２５ａである工程水２５へ吐出添加された後、加圧液体供給管２２への薬液２２ｂの供給を停止し、薬液２２ｂの撹拌分散サイクルとして、水貯留部２７内の希釈薬液２３ａを含有した、循環水または／及び流入水２５ａを含む貯留水２７ａを工程水２５として水中撹拌装置Ｓの加圧液体供給管２２に供給し、加圧液体供給管２２からジェットノズル２１へ供給して中空管２０内へ噴射し、水貯留部内の貯留水２７ａへ吐出するというサイクルを予定された一定時間中繰り返す。
すなわち、希釈薬液２３ａを含有した貯留水２７ａを水中撹拌装置Ｓに通し、ジェットノズル２１によるジェット水流水２１ａの流れを所定時間継続させることで、水中撹拌装置Ｓが設定された水貯留部２７内で貯留水２７ａを循環させることができ、前述の薬液２２ｂの撹拌分散サイクルが自動的に実行される。
これにより水貯留部内の水系における薬液の均一分散が図られる。この場合、中空管２０がジェットノズル２１の近傍の壁面に備えられた少なくとも１つの吸込孔２４により水貯留部内の希釈薬液２３ａを含有した循環水または流入水を含む吸引貯留水２４ａの中空管２０への供給が加速されるので薬液（薬剤）の均一分散には好ましい。
【００２０】
本発明で用いられるジェットノズル２１は、中空管２０の端部を貫通した状態で、端部壁に固定され、中空管２０の長手軸方向に開口して、圧送ポンプ等からホースや配管等により送られてくる薬液を含有する加圧水性液体２６をジェット水流水２１ａとして中空管２０内の他方端部の希釈薬液吐出部２３方向である長手方向にジェット噴射することができるようになっている。
ジェット水流水２１ａの噴射量は、圧送ポンプによる圧力水量調節や、噴射ノズルの開閉量等で制御、調整することができる。尚、本発明の中空管の形状は図２では円筒状が示されているが、直方体状等も使用可能であり、形状には限定されない。
【００２１】
本発明の水中撹拌装置は既存の抄紙システム等の水貯留部に大規模な改修なしに設置できると云うメリットがある。水中撹拌装置としては、横向き噴射式あるいは下向き噴射式のものを用いることが好ましい。
上向き噴射式の水中撹拌装置を用いると水流が気液界面を波立たせることにより空気を気泡として水中に巻き込むリスクが高くなって気泡による紙特性への悪影響が出る場合には好ましくない。
【００２２】
本発明では、原料調整系、白水循環系、および、白水回収系により構成される循環水系、および当該循環水系に流入する水系に存在する水貯留部の少なくとも１箇所に水中撹拌装置を設置し、薬液の希釈添加を行う。
薬液としては、以下に挙げるスライム防止剤、スケール防止剤、汚れ防止剤、防錆剤、消泡剤、消臭剤等が挙げられるが、特に限定されず、紙製造関連で公知の薬液が使用される。
【００２３】
スライム防止剤の例としては、次亜塩素酸ナトリウム、アンモニウム塩と次亜塩素酸塩から得られる結合塩素型化合物、メチレンビスチオシアネート、２，２−ジブロモ−３−ニトリロプロピオンアミド、２，２−ジブロモ−２−ニトロエタノール、５−クロロ−２−メチル−４−イソチアゾリン−３−オン、２−メチル−４−イソチアゾリン−３−オン等が挙げられる。
【００２４】
スケール防止剤の例としては、マレイン酸、アクリル酸、イタコン酸などを重合したカルボキシル基を有するポリマー、カルボキシル基を有するモノマーとビニルスルホン酸、アリルスルホン酸、２−アクリルアミド−２−メチルプロパンスルホン酸などのスルホン酸基を有するモノマーやアクリルアミドなどのノニオン性ビニルモノマーとのコポリマー、ヘキサメタリン酸ソーダやトリポリリン酸ソーダなどの無機ポリリン酸類、ヒドロキシエチリデンジホスホン酸やホスホノブタントリカルボン酸などのホスホン酸類等が挙げられる。
【００２５】
汚れ防止剤の例としては、無機汚れを防止するクエン酸、リンゴ酸、酒石酸等の有機酸、または塩酸、硫酸、スルファミン酸等の無機酸、及びそれらの混合液等、有機汚れを防止するポリオキシアルキレンエーテル系溶剤、アルキルポリオキシエチレンリン酸エステル系界面活性剤等やそれらの混合液等が挙げられる。
【００２６】
防錆剤の例としては、亜硝酸塩、モリブデン酸塩、クロム酸塩、ホスホン酸塩、重合リン酸塩、正リン酸塩、亜鉛塩、トリアゾール系化合物、アミン類等や、各種界面活性剤やポリマーが挙げられる。
【００２７】
消泡剤の例としては、自己乳化タイプとエマルションタイプが主として使用され、自己乳化タイプの例としては、ポリオキシエチレンポリオキシプロピレンジステアリン酸エステル、ポリオキシエチレンポリオキシプロピレンモノステアリルエーテル等の界面活性剤が挙げられ、エマルションタイプの例としては、ポリオキシアルキレンポリアルキルシロキサン、ポリジメチルシロキサン、高級アルコール、脂肪酸エステル等が挙げられる。
【００２８】
消臭剤の例としては、亜塩素酸系消臭剤、ポリフェノール系消臭剤、両性界面活性剤、クエン酸、グラフト重合体系消臭剤、ベタイン化合物系消臭剤、植物精油類や合成芳香剤等の芳香剤、例えばラベンダー精油、シダーウッド精油、プチグレン精油、ローズマリー精油、ローズケトン類、イオノン類、アリルアミルグリコレート、トリプラール、リリアール、シトラール、リナロール、ゲラニオール、アセチルセドレン、メチルナフチルケトン、及びシトラールジエチルアセタール、オレンジ油、α−ピネン、ｄ−リモネン、β−カリオフィレン、ジヒドロミルセノール、酢酸ｐ−ｔｅｒｔ−ブチルシクロヘキシル、酢酸リナリル、酢酸ゲラニル、酢酸シトロネリル、ガラクソリド、及びメチルアトラレート等が挙げられる。
【００２９】
以上、本発明について好ましい実施形態を挙げて説明したが、本発明の薬液希釈添加方法は、上記実施形態の構成に限定されるものではない。また、従来公知の知見に従い、本発明の薬液の希釈添加方法を適宜改変することができる。このような改変によってもなお、本発明の薬液の希釈添加方法の構成を具備する限り、もちろん、本発明の範疇に含まれるものである。
【実施例】
【００３０】
以下に本発明の実施例を示すが、本発明はこれらの実施例に限定されるものではない。
【００３１】
＜実施例１＞  
製紙工場における抄紙機の、白水サイロ（容量５０ｍ３）、および回収水タンク（容量５０ｍ３）に、図２に記載のようなジェットノズルを有する水中撹拌装置を設置し、白水サイロ、および回収水タンクの貯留水を供給しながらジェットノズル手前の加圧液体供給管に薬液供給口からスライム防止用薬液として、次亜塩素酸ナトリウム溶液と塩化アンモニウム溶液から得られる０．２質量％のモノクロラミン水溶液を添加供給する実機試験を実施した。
循環水系における目標添加濃度が結合残留塩素濃度として１０ｍｇ／Ｌとなるように水中撹拌装置（ジェットノズル直径１０ｃｍ、ジェットノズル吐出量６０Ｌ／分、水中撹拌装置からの吐出量１８０Ｌ／分）を用いてスライム防止用薬液を白水サイロと回収水タンクに連続的に同量ずつ添加した。
白水サイロと回収水タンクの薬液添加水を上記の水中撹拌装置によりジェットノズル吐出量６０Ｌ／分、水中撹拌装置からの吐出量１８０Ｌ／分の条件で加圧液体供給管からの薬液供給有無に関わらず白水サイロ、および回収水タンクの貯留水を供給して連続稼働して循環させながら、希釈薬液含有の白水サイロ水と回収水タンク水を循環水系に供給した。
希釈薬液を供給して１５分後に白水サイロ、および回収水タンクから採取した試験液を用いて、液中の細菌数を次のようにして測定した。３０秒間静置した後の試験液の上清を採取、その一般細菌数をＪＩＳ  Ｋ０１０１（１９９８）  ６３．２に従って測定した。
その結果を表１に示す。希釈薬液の供給前の白水サイロ、および回収水タンクの薬液未添加水の細菌数の測定値は、それぞれ液中で１．８×１０８個／ｍＬ、２．０×１０８個／ｍＬであった。
【００３２】
＜実施例２＞
実施例１と同じ製紙工場における抄紙機の、実施例１と同じ白水サイロと回収水タンクに、図２のようなジェットノズルを有する水中撹拌装置を設置し、白水サイロ、および回収水タンクの貯留水を供給しながらジェットノズル手前の加圧液体供給管に薬液供給口からスケール防止薬液として１０質量％のポリアクリル酸ソーダ（質量平均分子量８０００）含有水を供給添加する実機試験を実施した。
循環水系における目標添加濃度が有効成分として５ｍｇ／Ｌを維持するように水中撹拌装置（ジェットノズル直径１０ｃｍ、ジェットノズル吐出量６０Ｌ／分、水中撹拌装置からの吐出量１８０Ｌ／分）により白水サイロと回収水タンクに連続的に同量ずつ添加した。
上記の水中撹拌装置は加圧液体供給管への薬液供給有無に関わらず白水サイロ、および回収水タンクの貯留水を供給してジェットノズル吐出量６０Ｌ／分、水中撹拌装置からの吐出量１８０Ｌ／分の条件で連続稼働させながら、希釈薬液含有の白水サイロ水と回収水タンク水を循環水系に供給した。
効果確認のため、定修時にインレット内の点検を実施した。
その結果を表２に示す。評価は、インレットの目視判定により、◎：スケールがない、○：微細なスケールが見られる、△：スケールが見られる、×：スケールが明確に見られる、の４段階で行った。
【００３３】
＜実施例３＞  
実施例１と同じ製紙工場における抄紙機の、実施例１と同じ白水サイロ、および回収水タンクに、図２に記載のようなジェットノズルを有する水中撹拌装置を設置し、白水サイロ、および回収水タンクの貯留水を供給ながらジェットノズル手前の加圧液体供給管に薬液供給口からスライム防止用薬液として次亜塩素酸ナトリウム溶液と塩化アンモニウム溶液から得られる０．２質量％のモノクロラミン水溶液を供給添加する実機試験を実施した。
循環水系における目標添加濃度が結合残留塩素濃度として１０ｍｇ／Ｌとなるように水中撹拌装置（ジェットノズル直径４ｃｍ、ジェットノズル吐出量６０Ｌ／分、水中撹拌装置からの吐出量１８０Ｌ／分）を用いてスライム防止用薬液を白水サイロと回収水タンクに同量ずつ添加した。
加圧液体供給管への薬液供給を停止している間は水中撹拌装置は停止し、希釈薬液含有の白水サイロ水と回収水タンク水を循環水系に供給した。
希釈薬液を供給して１５分後に白水サイロ、および回収水タンクから採取した試験液を用いて、液中の細菌数を次のようにして測定した。３０秒間静置した後の試験液の上清を採取、その一般細菌数をＪＩＳ  Ｋ０１０１（１９９８）  ６３．２に従って測定した。
その結果を表１に示す。希釈薬液の供給前の白水サイロ、および回収水タンクの薬液未添加水の細菌数の測定値は、それぞれ液中で１．９×１０８個／ｍＬ、２．０×１０８個／ｍＬであった。
【００３４】
＜実施例４＞
実施例１と同じ製紙工場における抄紙機の、実施例１と同じ回収水タンクに、図２のようなジェットノズルを有する水中撹拌装置を設置し、回収水タンクの貯留水を供給しながらジェットノズル手前の加圧液体供給管に薬液供給口からスケール防止薬液として１０質量％のポリアクリル酸ソーダ（質量平均分子量８０００）含有水を供給添加する実機試験を実施した。
循環水系における目標添加濃度が有効成分として５ｍｇ／Ｌとなるように水中撹拌装置（ジェットノズル直径１０ｃｍ、ジェットノズル吐出量６０Ｌ／分、水中撹拌装置からの吐出量１８０Ｌ／分）により回収水タンクに連続的に添加した。
上記の水中撹拌装置は加圧液体供給管への薬液供給の有無に関わらずジェットノズル吐出量６０Ｌ／分、水中撹拌装置からの吐出量１８０Ｌ／分の条件で回収水タンクの貯留水を供給して連続稼働させながら、希釈薬液含有の回収水タンク水を循環水系に供給した。
効果確認のため、定修時にインレット内の点検を実施した。
その結果を表２に示す。
【００３５】
＜比較例１＞
実施例１と同じ製紙工場における抄紙機の、実施例１と同じ白水サイロ、および回収水タンクの底部に、プロペラ羽根型撹拌装置を設置、稼動（羽根径／サイロ径＝０．２、回転速度１００ｒｐｍ）させながら、スライム防止用薬液として次亜塩素酸ナトリウム溶液と塩化アンモニウム溶液から得られる０．２質量％のモノクロラミン水溶液を循環水系における目標添加濃度が有効全塩素濃度として１０ｍｇ／Ｌとなるように添加し、羽根型撹拌装置を連続的に稼働させながら希釈薬液含有水を循環水系へ供給した。
白水サイロ、および回収水タンクの希釈薬液含有水を循環水系へ供給して１５分後に白水サイロ、および回収水タンクから採取した試験液を用いて、液中の細菌数を次のようにして測定した。３０秒間静置した後の試験液の上清を採取、その一般細菌数をＪＩＳ  Ｋ０１０１（１９９８）  ６３．２に従って測定した。
その結果を表１に示す。希釈薬液の供給前の白水サイロ、および回収水タンクの薬液未添加水の細菌数の測定値は、それぞれ液中で１．８×１０８個／ｍＬ、２．３×１０８個／ｍＬであった。
【００３６】
＜比較例２＞
実施例１と同じ製紙工場における抄紙機の、実施例１と同じ回収水タンクの底部にプロペラ羽根型撹拌装置を設置、稼動（羽根径／タンク径＝０．２、回転速度１００ｒｐｍ）させながら、スケール防止薬液として１０質量％のポリアクリル酸ソーダ（質量平均分子量８０００）含有水を循環水系における目標添加濃度が有効成分として５ｍｇ／Ｌとなるように連続的に添加し、羽根型撹拌装置を稼働させながら希釈薬液含有水を循環水系へ供給した。
効果確認のため、定修時にインレット内の点検を実施した。
その結果を表２に示す。
【００３７】
【表１】
2020190047.tif 000003
【００３８】
【表２】
2020190047.tif 000004
【００３９】
表１のデータにおける実施例１、実施例３と比較例１のスライム防止剤試験の比較、および表２のデータにおける実施例２、実施例４と比較例２のスケール防止剤試験の比較より、本発明の実施例１から実施例４が比較例１、比較例２よりも薬剤効果の点で優れていること、特に実施例１、実施例２が格段に優れていることが判る。
【符号の説明】
【００４０】
Ａ      抄紙工程
Ａ１    原料調整系
Ａ２    白水循環系
Ａ３    白水回収系
Ｓ      水中撹拌装置
１    原料調整槽
２    マシンチェスト
３    ポンプ
４    ポンプ
５    白水サイロ
６    インレット
７    ワイヤパート
７ａ  ワイヤ
８    プレスパート
９    シールピット
１０    ポンプ
１１    固液分離装置
１２    回収水タンク
１３    ポンプ
１４    クッションタンク
１５    用水ライン
１６    ポンプ
２０    中空管
２０ａ  負圧
２１    ジェットノズル
２１ａ  ジェット水流水
２２    加圧液体供給管
２２ａ  薬液供給管
２２ｂ  薬液
２２ｃ  薬液供給口
２３    希釈薬液吐出部
２３ａ  希釈薬液
２４    吸込孔
２４ａ  吸引貯留水
２５    工程水
２５ａ  循環水または／及び流入水
２６    加圧水性液体
２７    水貯留部
２７ａ  貯留水
【図１】
2020190047.tif 000005
【図２】
2020190047.tif 000006